(57)【要約】      （修正有）【課題】簡便かつ確実に排水管の詰まりを除去し、管通しできる安価な通管用具を提供する。【解決手段】通管用具の先端部を、詰まり１８を除去しようとする排水管１６の開口部１７へ挿入する。管体２と加圧液体を管体２に導入するために接続されたホース１３及び逆流防止用の逆止弁付き止水コック７と、管体２の外周部に設けられた合成ゴム９などの弾性体とで構成する。合成ゴム９はチュウブ状で、ゴム管体９の両側を固定バンドにより締め付けられ固定されることでゴム管体９が径方向外周向きに弾性変形して拡径し、排水管１６の内周面に密着して封栓する。【選択図】図２
2011220091.tif 000002
【特許請求の範囲】
【請求項１】
詰まりを除去しようとする排水管の開口部へ、挿入される先端部の管体は、加圧液体を、排水管及びゴム管体へ導入するための管体である、これに接続されたホースと逆止弁付きコックさらに、管体の外周部に設けられ加圧液体により管体径方向外向きに弾性変形して拡径し排水管の内周面に密着する合成ゴムなぞの弾性体とを備えて成ることを特徴とする通管用具。
【請求項２】
請求項１に記載の通管用具における先端部を、詰まりを除去しようとする排水管の開口部に挿入し、加圧液体によりゴム管体が、管体径方向外向きに拡径し排水管の内周面に密着させて管体外周面と排水管内周面との隙間を封止し、加圧液体が管体から排水管に導入することを特徴とする通管方法。
【発明の詳細な説明】
【技術分野】
【０００１】本発明は、排水管の詰まりを除去して排水管を貫通させる通管用具に関するものである。
【背景技術】
【０００２】  一般に、家庭などで排水管が詰まると、ワイヤを排水管に挿入して詰まりを除去するようにしている。ところが、このようにワイヤを用いると、ワイヤを引き抜くときに汚水が垂れて周囲を汚すことがある。また、ワイヤでは届く距離が決まっていて、しかも短い場合が多い。また、ワイヤは排水管の曲がりに弱く曲がり部分から先へ進まないことがある。このような要望に応える為、下記特許文献に開示の通管用具が開発されている。この通管用具は、構成が複雑であり製造コストが高くつく問題がある。
【特許文献１】特開２００１−１４６７８２号広報
【発明の開示】
【発明が解決しようとする課題】
【０００３】  管の長いときや曲がりが複雑な排水管、及び、詰まり物の形状構成物に関係なく，通管でき、専門技術者でなくても一般家庭の人でも簡単に使用でき安価な通管用具の提供を目的とする。
【課題を解決するための手段】
【０００４】  上記目的を達成するために、本発明に係る通管用具は、管体の先端部の外周に設けられたゴム管体が加圧液体を送り込むことで管体径方向外向きに弾性変形して拡径し排水管の内周面に密着する弾性ゴム管体を備えて成るものである。【０００５】  また、加圧液体を排水管内へ導入するための安全弁付き吐水口が管体に接続されているものである。【０００６】  そして、本発明に係る通管方法は、前記したそれぞれの通管用具における先端部管体を、詰まりを除去しようとする排水管の開口部に挿入し、加圧液体によって管体を解して弾性体を拡径させ排水管の内周面に密着させて管体外周面と、排水管内周面との隙間を封止したのち、吐水口から加圧液体を管体から排水管へ導入するものである。
【発明を実施するための最良の形態】
【０００７】  本発明の実施の形態を、図面に基づいて詳しく説明する。図１は、本発明の一実施形態に係る通管用具を示す構成図、図２は、前記の通管用具を排水管に挿入した状態を示す要部断面図である。各図において、この実施形態に係る通管用具１は排水管１６の開口部１７へ挿入される先端部３を有している。先端部と固定バンド５で固定されたホース１３の先端部近傍に逆支弁付きコック７を有し、逆支弁付きコック両端部は、それぞれ固定バンド６でホース１３に固定されている、ホース１３さらに蛇口１５を介して導液管１９と接続されている。【０００８】  図６は前記の先端部３のＡ−Ａ断面図を示す構成図である。管体２の外周部には加圧液体によって拡径させる弾性体９が固着されている。この弾性体９は例えば合成ゴムなどの弾性体で構成されている。そして管体２の両端部外周には拡径時のゴム管体９が両端部から抜け落ちないようにする為の抜け止め用の固定バンド１２が固執ている。管体２は安全弁付吐水口１０及び導水口８を有し管体２の外周には導液流出孔１１を有している。【０００９】  前記の安全弁き付吐水口１０は安全弁以外にも吐水口の穴径の調整でも可能である。【００１０】  引き続き、通管用具１による排水管１６の通管方法につき図２を用いて説明する。この場合において詰まり１８を除去しようとする排水管１６に、通管用具１の先端部３を排水管１６の開口部１７に挿入する。そこで逆止弁付きコックを開栓すると、加圧液体が管体２の導液流出孔１１を通りゴム管体９に加圧液体Ｗの圧力が働く為に径方向外向きに拡径して排水管１６の内周面に密着する。このようにして先端部３の外周面と、排水管１６の内周面との隙間１７＠が密封される。【００１１】  続いて、ゴム管体内及び管体内の圧力Ｗ１が一定の圧力に達すると安全弁が作動して加圧液体Ｗ（ここでは例えば圧力が０．３ＭＰａ程度の水道水を用いた）が吐水口１０を経て排水管１６内に導入され、それに伴って排水管１６内の詰まり１８が、矢印２１の方向に押し流されて除去される。【００１２】  この実施形態に係る通管用具１、及びこれを用いた通管方法は、排水管１６が深いところにあったとしても先端部３を持って、排水管１６の開口部１７に先端部３を挿入しさえすれば、後は地面２０上で逆支弁付きコック７の開閉操作をするだけですむ。これにより、排水管１６の開口部１７で拡径したゴム体９に封止されるとともに排水管１６内へ加圧液体Ｗが導入される。【００１３】  従って、家庭において手軽に、迅速に、あるいは確実に、排水管１６の管通しを行うことができる。また、排水管１６の開口部１７から詰まり１８までの距離が長い場合や、排水管１６に曲がり部分がある場合であっても、加圧液体Ｗが作動源となっているから、詰まり除去動作にはほとんど影響しない。【００１４】  尚、本発明の管体や構成に関して、それぞれの形状や連結状態は、上述した実地形態のものに限らない。一方、本発明の加圧液体としては、入手容易、安価、安全、後処理用意などの観点から水がもっとも好ましいが、水以外に例えば、植物油、グリセリン、エチレングリコールその他の液体を用いても構わない。
【発明の効果】
【００１５】  以上述べたように、本発明に係る通管用具及び通管方法によれば、深い位置の排水管でもその開口部に通管用具３の先端部を挿入しさえすれば、あとは地面上などで操作することができる。これにより、排水管内へ加圧液体を導入することができる。従って、家庭でも手軽、迅速、かつ、確実に排水管の管通しを行うことができる。また、排水管の開口部から詰まりまでの距離がいくぶんか長い場合や、排水管に曲がり部分がある場合であっても、加圧液体単独の作用、によって詰まりを除去することができる。
【図面の簡単な説明】
【００１６】
【図１】本発明の一実地形態に係る通管用具を示す構成図である。
【図２】前記の通管用具を排水管に挿入した状態を示す要部断面図である。
【図３】前記の通管用具の正面図である。
【図４】前記の通管用具の一部断面を含む右側面図である。
【図５】前記の通管用具の左側面図である。
【図６】前記の通管用具のＡ−Ａ要部断面図を示す。
【図７】前記の通管用具のＢ−Ｂ要部断面図を示す。
【符号の説明】１      通管用具
２      管体
３      先端部
４      固定バンド
５      固定バンド
６      固定バンド
７      逆支弁付き止水コック
８      管体導水口
９      ゴム管体
１０    安全弁付き吐水口
１１    導液流出孔
１２    固定バンド
１３    ホース
１５    蛇口
１６    排水管
１７    開口部
１７ａ  隙間
１８    詰まり
１９    導液管
２０    地面
２１    矢印方向
Ｗ      加圧液体
Ｗ１    圧力
【図１】
2011220091.tif 000003
【図２】
2011220091.tif 000004
【図３】
2011220091.tif 000005
【図４】
2011220091.tif 000006
【図５】
2011220091.tif 000007
【図６】
2011220091.tif 000008
【図７】
2011220091.tif 000009